(57)【要約】【課題】付け睫毛の保管中にその繊毛部を湾曲状に癖付け（カール）させ得る機能を有する簡便な付け睫毛プレスカールケースを提供する。【解決手段】粘着性および可撓性を有する帯状の睫毛基部Ｅ１から複数の繊毛部Ｅ２が伸び出る構成の付け睫毛Ｅを収納するケースであり、定形のケース本体１と該ケース本体の上部を覆う開閉蓋２とを備える。ケース本体１は、付け睫毛の繊毛部Ｅ２を湾曲状に成形するための癖付け部１０を有する。癖付け部１０は、睫毛基部Ｅ１を粘着固定する凸曲面状の壁面部１１と、その壁面部の下縁１１ａに連続して繊毛部Ｅ２を支える凹曲面状の下型部１２とを有し、開閉蓋２には、下型部１２に対応して該下型部との間に繊毛部Ｅ２を挟み込む上型部２３が設けられている。【選択図】図１
2011177395.tif 000002
【特許請求の範囲】
【請求項１】
粘着性および可撓性を有する帯状の睫毛基部から複数の繊毛部が伸び出る構成の付け睫毛を収納するケースであり、
定形のケース本体と該ケース本体の上部を覆う開閉蓋とを備え、
前記ケース本体は、前記付け睫毛の繊毛部を湾曲状に成形するための癖付け部を有し、
前記癖付け部は、前記睫毛基部を粘着固定する凸曲面状の壁面部と、その壁面部の下縁に連続して前記繊毛部を支える凹曲面状の下型部とを有し、
前記開閉蓋には、前記下型部に対応して該下型部との間に前記繊毛部を挟み込む上型部が設けられていることを特徴とする付け睫毛プレスカールケース。
【請求項２】
前記開閉蓋の上型部には、前記下型部との間に前記繊毛部をヒートセットするための高温流体を流入せしめる流体供給孔が穿設されていることを特徴とする請求項１記載の付け睫毛プレスカールケース。
【請求項３】
前記下型部には、前記高温流体を排出する流体排出孔が穿設されていることを特徴とする請求項２記載の付け睫毛プレスカールケース。
【請求項４】
前記ケース本体は、前記癖付け部に配置される付け睫毛とは別の付け睫毛を複数収納可能な睫毛保管部を有すると共に、その睫毛保管部は、前記睫毛基部を粘着固定する凸曲面状の底面部を有していることを特徴とする請求項１〜３のいずれか１項に記載の付け睫毛プレスカールケース。
【発明の詳細な説明】
【技術分野】
【０００１】
本発明は付け睫毛を収納、保管するケースに係わり、特に付け睫毛の保管中にその繊毛部を湾曲状に癖付け（カール）させ得るようにした簡便な付け睫毛プレスカールケースに関する。
【背景技術】
【０００２】
従来、付け睫毛を収納、保管するケースとして、断面凹状に形成された蓋付きの収容トレーに、湾曲した形状の装着台を形成し、その装着台に付け睫毛の基部を貼り付けて固定できるようにしたものが知られる（例えば、特許文献１）。
【０００３】
又、蓋付きのケース本体に、弧状の突起物である保持台を形成すると共に、その保持台に上面部と該上面部より一段低い段差部を形成し、その上面部と段差部との連結部分を付け睫毛の基部（接着部）を接着させるための被接着部とした付け睫毛ケースが知られる（例えば、特許文献２）。
【０００４】
更に、蓋付きの容器本体の中央部分に目を模した図形を施し、その周囲に複数の小口収納部を設け、その各小口収納部に付け睫毛を個別に収納できるようにした付け睫毛用のケースも周知である（例えば、特許文献３）。
【先行技術文献】
【特許文献】
【０００５】
【特許文献１】登録実用新案第３０４３８４８号公報（段落０００９〜００１３、図１〜図３）
【特許文献２】登録実用新案第３１５７６８０号公報（段落００１３〜００１４、図１および図２）
【特許文献３】特開２００８−１６１６４６号公報（段落０００６〜０００７、図１）
【発明の概要】
【発明が解決しようとする課題】
【０００６】
しかしながら、特許文献１、２に開示されるケースのいずれも、付け睫毛をケース内部の特定部分（装着台ならびに保持台）に固定して整然と並べた状態で収納できるようにしているに過ぎない。
【０００７】
一方、特許文献３のケースは、蓋の裏側に付け睫毛の装着例を示した表示部が設けられることを特徴とするもので、付け睫毛は複数の小口収納部に入れられるに過ぎない。
【０００８】
本発明は以上のような事情に鑑みて成されたものであり、その目的は付け睫毛の保管中にその繊毛部を湾曲状に癖付け（カール）させ得る機能を付加した簡便な付け睫毛プレスカールケースを提供することにある。
【課題を解決するための手段】
【０００９】
上記目的を達成するため、本発明に係る付け睫毛プレスカールケースは、
粘着性および可撓性を有する帯状の睫毛基部から複数の繊毛部が伸び出る構成の付け睫毛を収納するケースであり、
定形のケース本体と該ケース本体の上部を覆う開閉蓋とを備え、
前記ケース本体は、前記付け睫毛の繊毛部を湾曲状に成形するための癖付け部を有し、
前記癖付け部は、前記睫毛基部を粘着固定する凸曲面状の壁面部と、その壁面部の下縁に連続して前記繊毛部を支える凹曲面状の下型部とを有し、
前記開閉蓋には、前記下型部に対応して該下型部との間に前記繊毛部を挟み込む上型部が設けられていることを特徴とする。
【００１０】
加えて、前記開閉蓋の上型部には、前記下型部との間に前記繊毛部をヒートセットするための高温流体を流入せしめる流体供給孔が穿設されていることを特徴とする。
【００１１】
又、前記下型部には、前記高温流体を排出する流体排出孔が穿設されていることを特徴とする。
【００１２】
更に、前記ケース本体は、前記癖付け部に配置される付け睫毛とは別の付け睫毛を複数収納可能な睫毛保管部を有すると共に、その睫毛保管部は、前記睫毛基部を粘着固定する凸曲面状の底面部を有していることを特徴とする。
【発明の効果】
【００１３】
本発明に係る付け睫毛プレスカールケースによれば、ケース本体に付け睫毛の繊毛部を湾曲状に成形するための癖付け部が設けられると共に、その癖付け部が付け睫毛の睫毛基部を粘着固定する凸曲面状の壁面部と、その壁面部の下縁に連続して繊毛部を支える凹曲面状の下型部とを有し、開閉蓋には、下型部に対応して該下型部との間に繊毛部を挟み込む上型部が設けられていることから、付け睫毛を保管収納しながらその繊毛部を湾曲状にカールさせることができる。
【００１４】
又、開閉蓋の上型部には、下型部との間に繊毛部をヒートセットするための高温流体を流入せしめる流体供給孔が穿設されていることから、繊毛部の形態がヒートセットにより安定化して繰返し使用しても型崩れし難くなり、その付け睫毛により目元を綺麗に飾ることができる。
【００１５】
加えて、下型部に高温流体を排出する流体排出孔が穿設されているものでは、ヒートセット用の高温流体として湯が用いられた場合でも、その湯を下型部と上型部との間に留めず速やかに排出して、繊毛部が使用時に湿った状態にあることを防止できる。
【００１６】
又、ケース本体に、癖付け部のほか複数の付け睫毛を収納可能な睫毛保管部が設けられると共に、その底面部が睫毛基部を粘着固定する凸曲面状の形態とされているものでは、複数の付け睫毛を睫毛保管部の底面部上に整然と並んだ状態で保管収納することができ、しかも睫毛基部が型崩れせずして湾曲状態に維持されるために、それら付け睫毛を睫毛保管部から取り出して、これを瞼の縁に沿って容易かつ適正に装着することができる。
【図面の簡単な説明】
【００１７】
【図１】本発明に係る付け睫毛プレスカールケースの構成例を示す斜視図
【図２】ケース本体の平面図
【図３】図２のＸ−Ｘ断面図
【図４】開閉蓋の平面図
【図５】図４のＹ−Ｙ断面図
【図６】本発明の付け睫毛プレスカールケースに適応する付け睫毛の平面図および中央断面図
【図７】開閉蓋を閉める前の状態を示す使用説明図
【図８】開閉蓋を閉めた状態を示す使用説明図
【発明を実施するための形態】
【００１８】
以下、図面に基づいて本発明に係る付け睫毛プレスカールケースの実施形態を説明すれば、係る付け睫毛プレスカールケースは、図１のように定形のケース本体１と、その上部を覆う開閉蓋２とにより構成される。尚、図１ではケース本体１と開閉蓋２が分離可能な別体として成形されているが、その両者１，２をヒンジ結合して開閉蓋２がヒンジを中心に開閉動作を行う構成としてもよい。
【００１９】
本例において、ケース本体１は、透明あるいは有色不透明の合成樹脂から成形されており、その上面部には後述する付け睫毛の繊毛部を湾曲状に成形（カール）させるための癖付け部１０が設けられている。
【００２０】
癖付け部１０は、隣り合う一対の壁面部１１と、その両壁面部１１の下縁１１ａに連続して形成されている左右一対の下型部１２とからなる。このうち、壁面部１１は、所定の高さと円錐曲線状（円弧状、楕円弧状、放物線状、あるいは双曲線状）の輪郭を有する凸曲面であり、しかもその下縁１１ａが上縁１１ｂよりも広がったテーパ状の形態とされている。特に、図示例において、係る壁面部１１は任意の横断面が半円弧状の輪郭を有する凸曲面とされ、その表面に付け睫毛の睫毛基部を粘着させ得るようになっている。
【００２１】
一方、下型部１２は壁面部１１の下縁１１ａに連なる凹曲面であり、当該下型部１２には図１〜３から明らかなように、壁面部１１の下縁１１ａに沿って上下方向に貫通する複数の流体排出孔１２ａが等間隔に穿設されている。又、図３から明らかなように、係る下型部１２は、壁面部１１の下縁１１ａから隔たるに従って深さが漸次小さくなる断面円弧状の凹曲面とされており、睫毛基部Ｅ１を壁面部１１に粘着せしめた付け睫毛Ｅの繊毛部Ｅ２が当該下型部１２により支えられるようになっている。
【００２２】
加えて、図１〜図３に示されるように、ケース本体１には、癖付け部１０を構成する壁面部１１の背後において凹状の睫毛保管部１３が設けられている。係る睫毛保管部１３は、癖付け部１０に配置される付け睫毛Ｅとは別の付け睫毛Ｅを保管するべく矩形の壁部材１３ａにより囲んだ有底の区画であり、その底面部１３ｂは上方に湾曲した半円筒形の凸曲面とされている。そして、係る睫毛保管部１３によれば、図３のように付け睫毛Ｅの睫毛基部Ｅ１を底面部１３ａに粘着固定することにより、睫毛基部Ｅ１を底面部１３ｂに沿う湾曲形状に維持し、その型崩れを防止しながら複数の付け睫毛Ｅを整然と収納、保管することができる。
【００２３】
次に、開閉蓋２について言及すると、係る開閉蓋２は透明な合成樹脂から形成されており、これをケース本体１の上部に嵌合装着した場合でも、この開閉蓋２を透して癖付け部１０および睫毛保管部１３に配置された付け睫毛Ｅを外部から視認可能とされている。
【００２４】
特に、開閉蓋２には、図１および図４〜図５から明らかなように、睫毛保管部１３の上端開口部を覆う天板部２１に連ねて壁面部１１を覆う中空半円錐台状のカバー部２２が形成されている。又、開閉蓋２には、カバー部２２の下縁２２ａに連続してケース本体１の下型部１２に対応する鍔状の上型部２３が形成されている。係る上型部２３は、下型部１２に対向する裏面が下型部１２の形状に合致する凸曲面とされていると共に、この上型部２３にはカバー部２２の下縁２２ａに沿って複数の流体供給孔２３ａが等間隔に穿設されている。
【００２５】
そして、上記のような開閉蓋２によれば、これをケース本体１に被せたとき、上型部２３がケース本体１の下型部１２上に重なり、これにより付け睫毛Ｅの繊毛部Ｅ２が下型部１２に押し付けられ、その状態が長時間に亘って維持されることにより、付け睫毛Ｅの繊毛部Ｅ２に下型部１２と上型部２３の形状に倣った曲げ癖を付与することができる。尚、開閉蓋２は、ケース本体１に被せられるだけでもよいが、閉じられた開閉蓋２が不用意に開放しないよう、図１のようにケース本体１の外周部に凹状もしくは凸状の係止部１４を設ける一方、開閉蓋２の内周部に係止部１４と係合する凸状もしくは凹状の図示せぬ被係止部を設けることが好ましい。
【００２６】
ここで、本発明の付け睫毛プレスカールケースに適応する付け睫毛Ｅについて説明すると、係る付け睫毛Ｅは、図６のように繊毛部Ｅ２の付け根部分となる睫毛基部Ｅ１から複数の繊毛部Ｅ２が伸び出る構成であり、このうち睫毛基部Ｅ１は幅１ｍｍ程度の可撓性を有した帯状にして瞼の形状に合わせて湾曲されており、その片面（内側面）は瞼に固定するための装着面ｎとして粘着性を有している。尚、その装着面ｎは、粘着剤（感圧型接着剤）を塗布することにより粘着性が付与されるが、瞼への装着に際しては係る装着面ｎにその都度接着剤が塗付される。
【００２７】
又、繊毛部Ｅ２は熱可塑性を有するナイロンその他の化学繊維などからなる人造毛であり、その各一端は睫毛基部Ｅ１に接続している。
【００２８】
次に、本発明に係る付け睫毛プレスカールケースの使用方法とその作用について説明すると、図７のように、睫毛保管部１３には付け睫毛Ｅが睫毛基部Ｅ１を下向きにして収納、保管される。詳しくは、睫毛保管部１３への付け睫毛Ｅの収納に際し、その睫毛基部Ｅ１を睫毛保管部１３の底面部１３ｂに粘着固定せしめるのであり、これにより付け睫毛Ｅは睫毛基部Ｅ１が底面部１３ｂに沿って湾曲した状態に固定される。よって、複数の付け睫毛Ｅを睫毛保管部１３に収納しても、それらが底面部１３ｂ上に整然と並んだ状態に維持され、しかも睫毛基部Ｅ１が型崩れせずして湾曲状態に維持されるところ、それら付け睫毛Ｅを睫毛保管部１３から取り出して、これを瞼の縁に沿って容易かつ適正に装着することができる。
【００２９】
一方、ケース本体１の癖付け部１０において、その壁面部１１には付け睫毛Ｅの睫毛基部Ｅ１を粘着固定するが、このとき繊毛部Ｅ２を下向きにして固定するのであり、これにより繊毛部Ｅ２が下型部１２で支持されつつ下型部１２の表面形状に沿って曲がるようになる。
【００３０】
そこで、図８のようにケース本体１上に開閉蓋２を装着すると、下型部１２上の繊毛部Ｅ２が下型部１２と上型部２３との間に挟み込まれ、上型部２３によって下型部１２の表面に強固に押し付けられるようになる。従って、その状態を長時間に亘って維持するだけで、繊毛部Ｅ２が下型部１２と上型部２３の表面形状に倣ってカールするようになるが、好ましくは下型部１２と上型部２３とで繊毛部Ｅ２を挟み込んだ後、ヒートセット用の高温流体として上型部２３の上から５０〜１００℃の湯を注ぐ。
【００３１】
すると、その湯は流体供給孔２３ａを通じて下型部１２と上型部２３との間に流入し、繊毛部Ｅ２を加熱した後、流体排出孔１２ａからケース本体１の下方に抜ける。しかして、このような熱処理により、繊毛部Ｅ２の内部歪みが取り除かれ、その形態が安定化するようになるので、係る付け睫毛Ｅの使用に際して公知のビューラを使用せずして付け睫毛Ｅの繊毛部Ｅ２を予めカールさせておくことができ、しかもその形態がヒートセットにより安定化するために係る付け睫毛Ｅを繰返し使用しても型崩れし難く、その付け睫毛Ｅにより目元を綺麗に飾ることができる。
【００３２】
尚、繊毛部Ｅ２の先端部分（毛先）のみをカールさせたい場合には、睫毛基部Ｅ１を壁面部１１の上部位置に固定して、繊毛部Ｅ２の先端部分のみ下型部１２と上型部２３の間に挟み込まれるようにすればよい。要するに、係る付け睫毛プレスカールケースでは、壁面部１１に対する睫毛基部Ｅ１の固定位置により繊毛部Ｅ２の曲げ形態を調整することができるのであり、それゆえ壁面部１１の高さは５〜２０ｍｍ、より好ましくは１０〜２０ｍｍに設定される。
【００３３】
ここに、ケース本体１や開閉蓋２が熱に対して耐性を有しない部材で成形されたものであれば、繊毛部Ｅ２をヒートセットするに際して下型部１２や上型部２３が熱変形して押し型としての機能を失ってしまうところ、それらには耐熱性材料が用いられる。この点、ポリアリレート樹脂（ＰＡＲ）、ポリスルホン樹脂（ＰＳＦ）、ポリエーテルスルホン樹脂（ＰＥＳ）、ポリエーテルイミド樹脂（ＰＥＩ）、ポリアミドイミド樹脂（ＰＡＩ）、ポリフェニレンサルファイド樹脂（ＰＰＳ）、ならびにポリエーテルエーテルケトン樹脂（ＰＥＥＫ）などは耐熱性に優れるプラスチック材料であり、ケース本体１や開閉蓋２の成形材料として好適に用いることができる。
【００３４】
尚、繊毛部Ｅ２をヒートセットする高温流体は湯に限らず、ヘアドライヤなどを用いて下型部１２と上型部２３との間に温風ないしは熱風を供給するようにしてもよい。
【００３５】
又、下型部１２と上型部２３に、それぞれ流体供給孔１２ａと流体排出孔２３ａを穿設せず、下型部１２や上型部２３を金属などの高熱伝導率を有する材料から成形し、これによる熱伝導により繊毛部Ｅ２をヒートセットすることもできる。
【符号の説明】
【００３６】
Ｅ  付け睫毛
Ｅ１  睫毛基部
Ｅ２  繊毛部
１  ケース本体
１０  癖付け部
１１  壁面部
１１ａ  壁面部の下縁
１２  下型部
１２ａ  流体排出孔
１３  睫毛保管部
１３ｂ  睫毛保管部の底面部
２  開閉蓋
２３  上型部
２３ａ  流体供給孔
【図１】
2011177395.tif 000003
【図２】
2011177395.tif 000004
【図３】
2011177395.tif 000005
【図４】
2011177395.tif 000006
【図５】
2011177395.tif 000007
【図６】
2011177395.tif 000008
【図７】
2011177395.tif 000009
【図８】
2011177395.tif 000010
【手続補正書】
【提出日】平成22年4月26日(2010.4.26)
【手続補正１】
【補正対象書類名】明細書
【補正対象項目名】全文
【補正方法】変更
【補正の内容】
【発明の詳細な説明】
【技術分野】
【０００１】
本発明は付け睫毛を収納、保管するケースに係わり、特に付け睫毛の保管中にその繊毛部を湾曲状に癖付け（カール）させ得るようにした簡便な付け睫毛プレスカールケースに関する。
【背景技術】
【０００２】
従来、付け睫毛を収納、保管するケースとして、断面凹状に形成された蓋付きの収容トレーに、湾曲した形状の装着台を形成し、その装着台に付け睫毛の基部を貼り付けて固定できるようにしたものが知られる（例えば、特許文献１）。
【０００３】
又、蓋付きのケース本体に、弧状の突起物である保持台を形成すると共に、その保持台に上面部と該上面部より一段低い段差部を形成し、その上面部と段差部との連結部分を付け睫毛の基部（接着部）を接着させるための被接着部とした付け睫毛ケースが知られる（例えば、特許文献２）。
【０００４】
更に、蓋付きの容器本体の中央部分に目を模した図形を施し、その周囲に複数の小口収納部を設け、その各小口収納部に付け睫毛を個別に収納できるようにした付け睫毛用のケースも周知である（例えば、特許文献３）。
【先行技術文献】
【特許文献】
【０００５】
【特許文献１】登録実用新案第３０４３８４８号公報（段落０００９〜００１３、図１〜図３）
【特許文献２】登録実用新案第３１５７６８０号公報（段落００１３〜００１４、図１および図２）
【特許文献３】特開２００８−１６１６４６号公報（段落０００６〜０００７、図１）
【発明の概要】
【発明が解決しようとする課題】
【０００６】
しかしながら、特許文献１、２に開示されるケースのいずれも、付け睫毛をケース内部の特定部分（装着台ならびに保持台）に固定して整然と並べた状態で収納できるようにしているに過ぎない。
【０００７】
一方、特許文献３のケースは、蓋の裏側に付け睫毛の装着例を示した表示部が設けられることを特徴とするもので、付け睫毛は複数の小口収納部に入れられるに過ぎない。
【０００８】
本発明は以上のような事情に鑑みて成されたものであり、その目的は付け睫毛の保管中にその繊毛部を湾曲状に癖付け（カール）させ得る機能を付加した簡便な付け睫毛プレスカールケースを提供することにある。
【課題を解決するための手段】
【０００９】
上記目的を達成するため、本発明に係る付け睫毛プレスカールケースは、
粘着性および可撓性を有する帯状の睫毛基部から複数の繊毛部が伸び出る構成の付け睫毛を収納するケースであり、
定形のケース本体と該ケース本体の上部を覆う開閉蓋とを備え、
前記ケース本体は、前記付け睫毛の繊毛部を湾曲状に成形するための癖付け部を有し、
前記癖付け部は、前記睫毛基部を粘着固定する凸曲面状の壁面部と、その壁面部の下縁に連続して前記繊毛部を支える凹曲面状の下型部とを有し、
前記開閉蓋には、前記下型部に対応して該下型部との間に前記繊毛部を挟み込む上型部が設けられ、
前記開閉蓋の上型部には、前記下型部との間に前記繊毛部をヒートセットするための高温流体を流入せしめる流体供給孔が穿設されていることを特徴とする。
【００１０】
又、前記下型部には、前記高温流体を排出する流体排出孔が穿設されていることを特徴とする。
【００１１】
更に、前記ケース本体は、前記癖付け部に配置される付け睫毛とは別の付け睫毛を複数収納可能な睫毛保管部を有すると共に、その睫毛保管部は、前記睫毛基部を粘着固定する凸曲面状の底面部を有していることを特徴とする。
【発明の効果】
【００１２】
本発明に係る付け睫毛プレスカールケースによれば、ケース本体に付け睫毛の繊毛部を湾曲状に成形するための癖付け部が設けられると共に、その癖付け部が付け睫毛の睫毛基部を粘着固定する凸曲面状の壁面部と、その壁面部の下縁に連続して繊毛部を支える凹曲面状の下型部とを有し、開閉蓋には、下型部に対応して該下型部との間に繊毛部を挟み込む上型部が設けられていることから、付け睫毛を保管収納しながらその繊毛部を湾曲状にカールさせることができる。
【００１３】
又、開閉蓋の上型部には、下型部との間に繊毛部をヒートセットするための高温流体を流入せしめる流体供給孔が穿設されていることから、繊毛部の形態がヒートセットにより安定化して繰返し使用しても型崩れし難くなり、その付け睫毛により目元を綺麗に飾ることができる。
【００１４】
加えて、下型部に高温流体を排出する流体排出孔が穿設されているものでは、ヒートセット用の高温流体として湯が用いられた場合でも、その湯を下型部と上型部との間に留めず速やかに排出して、繊毛部が使用時に湿った状態にあることを防止できる。
【００１５】
又、ケース本体に、癖付け部のほか複数の付け睫毛を収納可能な睫毛保管部が設けられると共に、その底面部が睫毛基部を粘着固定する凸曲面状の形態とされているものでは、複数の付け睫毛を睫毛保管部の底面部上に整然と並んだ状態で保管収納することができ、しかも睫毛基部が型崩れせずして湾曲状態に維持されるために、それら付け睫毛を睫毛保管部から取り出して、これを瞼の縁に沿って容易かつ適正に装着することができる。
【図面の簡単な説明】
【００１６】
【図１】本発明に係る付け睫毛プレスカールケースの構成例を示す斜視図
【図２】ケース本体の平面図
【図３】図２のＸ−Ｘ断面図
【図４】開閉蓋の平面図
【図５】図４のＹ−Ｙ断面図
【図６】本発明の付け睫毛プレスカールケースに適応する付け睫毛の平面図および中央断面図
【図７】開閉蓋を閉める前の状態を示す使用説明図
【図８】開閉蓋を閉めた状態を示す使用説明図
【発明を実施するための形態】
【００１７】
以下、図面に基づいて本発明に係る付け睫毛プレスカールケースの実施形態を説明すれば、係る付け睫毛プレスカールケースは、図１のように定形のケース本体１と、その上部を覆う開閉蓋２とにより構成される。尚、図１ではケース本体１と開閉蓋２が分離可能な別体として成形されているが、その両者１，２をヒンジ結合して開閉蓋２がヒンジを中心に開閉動作を行う構成としてもよい。
【００１８】
本例において、ケース本体１は、透明あるいは有色不透明の合成樹脂から成形されており、その上面部には後述する付け睫毛の繊毛部を湾曲状に成形（カール）させるための癖付け部１０が設けられている。
【００１９】
癖付け部１０は、隣り合う一対の壁面部１１と、その両壁面部１１の下縁１１ａに連続して形成されている左右一対の下型部１２とからなる。このうち、壁面部１１は、所定の高さと円錐曲線状（円弧状、楕円弧状、放物線状、あるいは双曲線状）の輪郭を有する凸曲面であり、しかもその下縁１１ａが上縁１１ｂよりも広がったテーパ状の形態とされている。特に、図示例において、係る壁面部１１は任意の横断面が半円弧状の輪郭を有する凸曲面とされ、その表面に付け睫毛の睫毛基部を粘着させ得るようになっている。
【００２０】
一方、下型部１２は壁面部１１の下縁１１ａに連なる凹曲面であり、当該下型部１２には図１〜３から明らかなように、壁面部１１の下縁１１ａに沿って上下方向に貫通する複数の流体排出孔１２ａが等間隔に穿設されている。又、図３から明らかなように、係る下型部１２は、壁面部１１の下縁１１ａから隔たるに従って深さが漸次小さくなる断面円弧状の凹曲面とされており、睫毛基部Ｅ１を壁面部１１に粘着せしめた付け睫毛Ｅの繊毛部Ｅ２が当該下型部１２により支えられるようになっている。
【００２１】
加えて、図１〜図３に示されるように、ケース本体１には、癖付け部１０を構成する壁面部１１の背後において凹状の睫毛保管部１３が設けられている。係る睫毛保管部１３は、癖付け部１０に配置される付け睫毛Ｅとは別の付け睫毛Ｅを保管するべく矩形の壁部材１３ａにより囲んだ有底の区画であり、その底面部１３ｂは上方に湾曲した半円筒形の凸曲面とされている。そして、係る睫毛保管部１３によれば、図３のように付け睫毛Ｅの睫毛基部Ｅ１を底面部１３ａに粘着固定することにより、睫毛基部Ｅ１を底面部１３ｂに沿う湾曲形状に維持し、その型崩れを防止しながら複数の付け睫毛Ｅを整然と収納、保管することができる。
【００２２】
次に、開閉蓋２について言及すると、係る開閉蓋２は透明な合成樹脂から形成されており、これをケース本体１の上部に嵌合装着した場合でも、この開閉蓋２を透して癖付け部１０および睫毛保管部１３に配置された付け睫毛Ｅを外部から視認可能とされている。
【００２３】
特に、開閉蓋２には、図１および図４〜図５から明らかなように、睫毛保管部１３の上端開口部を覆う天板部２１に連ねて壁面部１１を覆う中空半円錐台状のカバー部２２が形成されている。又、開閉蓋２には、カバー部２２の下縁２２ａに連続してケース本体１の下型部１２に対応する鍔状の上型部２３が形成されている。係る上型部２３は、下型部１２に対向する裏面が下型部１２の形状に合致する凸曲面とされていると共に、この上型部２３にはカバー部２２の下縁２２ａに沿って複数の流体供給孔２３ａが等間隔に穿設されている。
【００２４】
そして、上記のような開閉蓋２によれば、これをケース本体１に被せたとき、上型部２３がケース本体１の下型部１２上に重なり、これにより付け睫毛Ｅの繊毛部Ｅ２が下型部１２に押し付けられ、その状態が長時間に亘って維持されることにより、付け睫毛Ｅの繊毛部Ｅ２に下型部１２と上型部２３の形状に倣った曲げ癖を付与することができる。尚、開閉蓋２は、ケース本体１に被せられるだけでもよいが、閉じられた開閉蓋２が不用意に開放しないよう、図１のようにケース本体１の外周部に凹状もしくは凸状の係止部１４を設ける一方、開閉蓋２の内周部に係止部１４と係合する凸状もしくは凹状の図示せぬ被係止部を設けることが好ましい。
【００２５】
ここで、本発明の付け睫毛プレスカールケースに適応する付け睫毛Ｅについて説明すると、係る付け睫毛Ｅは、図６のように繊毛部Ｅ２の付け根部分となる睫毛基部Ｅ１から複数の繊毛部Ｅ２が伸び出る構成であり、このうち睫毛基部Ｅ１は幅１ｍｍ程度の可撓性を有した帯状にして瞼の形状に合わせて湾曲されており、その片面（内側面）は瞼に固定するための装着面ｎとして粘着性を有している。尚、その装着面ｎは、粘着剤（感圧型接着剤）を塗布することにより粘着性が付与されるが、瞼への装着に際しては係る装着面ｎにその都度接着剤が塗付される。
【００２６】
又、繊毛部Ｅ２は熱可塑性を有するナイロンその他の化学繊維などからなる人造毛であり、その各一端は睫毛基部Ｅ１に接続している。
【００２７】
次に、本発明に係る付け睫毛プレスカールケースの使用方法とその作用について説明すると、図７のように、睫毛保管部１３には付け睫毛Ｅが睫毛基部Ｅ１を下向きにして収納、保管される。詳しくは、睫毛保管部１３への付け睫毛Ｅの収納に際し、その睫毛基部Ｅ１を睫毛保管部１３の底面部１３ｂに粘着固定せしめるのであり、これにより付け睫毛Ｅは睫毛基部Ｅ１が底面部１３ｂに沿って湾曲した状態に固定される。よって、複数の付け睫毛Ｅを睫毛保管部１３に収納しても、それらが底面部１３ｂ上に整然と並んだ状態に維持され、しかも睫毛基部Ｅ１が型崩れせずして湾曲状態に維持されるところ、それら付け睫毛Ｅを睫毛保管部１３から取り出して、これを瞼の縁に沿って容易かつ適正に装着することができる。
【００２８】
一方、ケース本体１の癖付け部１０において、その壁面部１１には付け睫毛Ｅの睫毛基部Ｅ１を粘着固定するが、このとき繊毛部Ｅ２を下向きにして固定するのであり、これにより繊毛部Ｅ２が下型部１２で支持されつつ下型部１２の表面形状に沿って曲がるようになる。
【００２９】
そこで、図８のようにケース本体１上に開閉蓋２を装着すると、下型部１２上の繊毛部Ｅ２が下型部１２と上型部２３との間に挟み込まれ、上型部２３によって下型部１２の表面に強固に押し付けられるようになる。従って、その状態を長時間に亘って維持するだけで、繊毛部Ｅ２が下型部１２と上型部２３の表面形状に倣ってカールするようになるが、好ましくは下型部１２と上型部２３とで繊毛部Ｅ２を挟み込んだ後、ヒートセット用の高温流体として上型部２３の上から５０〜１００℃の湯を注ぐ。
【００３０】
すると、その湯は流体供給孔２３ａを通じて下型部１２と上型部２３との間に流入し、繊毛部Ｅ２を加熱した後、流体排出孔１２ａからケース本体１の下方に抜ける。しかして、このような熱処理により、繊毛部Ｅ２の内部歪みが取り除かれ、その形態が安定化するようになるので、係る付け睫毛Ｅの使用に際して公知のビューラを使用せずして付け睫毛Ｅの繊毛部Ｅ２を予めカールさせておくことができ、しかもその形態がヒートセットにより安定化するために係る付け睫毛Ｅを繰返し使用しても型崩れし難く、その付け睫毛Ｅにより目元を綺麗に飾ることができる。
【００３１】
尚、繊毛部Ｅ２の先端部分（毛先）のみをカールさせたい場合には、睫毛基部Ｅ１を壁面部１１の上部位置に固定して、繊毛部Ｅ２の先端部分のみ下型部１２と上型部２３の間に挟み込まれるようにすればよい。要するに、係る付け睫毛プレスカールケースでは、壁面部１１に対する睫毛基部Ｅ１の固定位置により繊毛部Ｅ２の曲げ形態を調整することができるのであり、それゆえ壁面部１１の高さは５〜２０ｍｍ、より好ましくは１０〜２０ｍｍに設定される。
【００３２】
ここに、ケース本体１や開閉蓋２が熱に対して耐性を有しない部材で成形されたものであれば、繊毛部Ｅ２をヒートセットするに際して下型部１２や上型部２３が熱変形して押し型としての機能を失ってしまうところ、それらには耐熱性材料が用いられる。この点、ポリアリレート樹脂（ＰＡＲ）、ポリスルホン樹脂（ＰＳＦ）、ポリエーテルスルホン樹脂（ＰＥＳ）、ポリエーテルイミド樹脂（ＰＥＩ）、ポリアミドイミド樹脂（ＰＡＩ）、ポリフェニレンサルファイド樹脂（ＰＰＳ）、ならびにポリエーテルエーテルケトン樹脂（ＰＥＥＫ）などは耐熱性に優れるプラスチック材料であり、ケース本体１や開閉蓋２の成形材料として好適に用いることができる。
【００３３】
尚、繊毛部Ｅ２をヒートセットする高温流体は湯に限らず、ヘアドライヤなどを用いて下型部１２と上型部２３との間に温風ないしは熱風を供給するようにしてもよい。
【符号の説明】
【００３４】
Ｅ  付け睫毛
Ｅ１  睫毛基部
Ｅ２  繊毛部
１  ケース本体
１０  癖付け部
１１  壁面部
１１ａ  壁面部の下縁
１２  下型部
１２ａ  流体排出孔
１３  睫毛保管部
１３ｂ  睫毛保管部の底面部
２  開閉蓋
２３  上型部
２３ａ  流体供給孔
【手続補正２】
【補正対象書類名】特許請求の範囲
【補正対象項目名】全文
【補正方法】変更
【補正の内容】
【特許請求の範囲】
【請求項１】
粘着性および可撓性を有する帯状の睫毛基部から複数の繊毛部が伸び出る構成の付け睫毛を収納するケースであり、
定形のケース本体と該ケース本体の上部を覆う開閉蓋とを備え、
前記ケース本体は、前記付け睫毛の繊毛部を湾曲状に成形するための癖付け部を有し、
前記癖付け部は、前記睫毛基部を粘着固定する凸曲面状の壁面部と、その壁面部の下縁に連続して前記繊毛部を支える凹曲面状の下型部とを有し、
前記開閉蓋には、前記下型部に対応して該下型部との間に前記繊毛部を挟み込む上型部が設けられ、
前記開閉蓋の上型部には、前記下型部との間に前記繊毛部をヒートセットするための高温流体を流入せしめる流体供給孔が穿設されていることを特徴とする付け睫毛プレスカールケース。
【請求項２】
前記下型部には、前記高温流体を排出する流体排出孔が穿設されていることを特徴とする請求項１記載の付け睫毛プレスカールケース。
【請求項３】
前記ケース本体は、前記癖付け部に配置される付け睫毛とは別の付け睫毛を複数収納可能な睫毛保管部を有すると共に、その睫毛保管部は、前記睫毛基部を粘着固定する凸曲面状の底面部を有していることを特徴とする請求項１、又は２記載の付け睫毛プレスカールケース。